(57)【要約】【課題】空配管の入口から通線用呼び線を押し込む人が、出口から通線用呼び線が出たことを確認することができ、作業者一人で通線作業を行うことができる通線用呼び線到達検出装置を得る。【解決手段】空配管２の出口２ｂの近傍に設けられ通線用呼び線３が出口２ｂから突出したことを検出する検出手段１０と、検出手段１０の出力に基づいて、通線用呼び線３が出口２ｂから突出したことを、空配管２の入口２ａにおいて通線用呼び線３を押し込む人に報知する報知手段２０とを有する。【選択図】        図１
2004229370.tif 000002
【特許請求の範囲】
【請求項１】
敷設済みの空配管内に通信ケーブルを挿通配線するときに使用する通線用呼び線が該空配管の出口に到達したことを検出する通線用呼び線到達検出装置であって、
前記空配管の出口の近傍に設けられ前記通線用呼び線が該出口から突出したことを検出する検出手段と、
前記検出手段の出力に基づいて、前記通線用呼び線が該出口から突出したことを、前記空配管の入口において該通線用呼び線を押し込む人に報知する報知手段とを有することを特徴とする通線用呼び線到達検出装置。
【請求項２】
前記検出手段は、前記出口を横切るように光線を発射する光電装置発光部と、
前記光線を受光し該光線が遮られることにより前記通線用呼び線が該出口から突出したことを検出する光電装置受光部とを有する
ことを特徴とする請求項１に記載の通線用呼び線到達検出装置。
【請求項３】
前記報知手段は、前記光電装置受光部に電気的に接続され、該光電装置受光部の出力する検出信号を電波によって発信する発信用通信機と、
前記空配管の入口側に設けられ、前記発信用通信機の発信した電波を受信する受信用通信機と、
前記受信用通信機に電気的に接続され前記押し込む人に前記通線用呼び線が前記出口から突出したことを報知する報知器とを有する
ことを特徴とする請求項２に記載の通線用呼び線到達検出装置。
【請求項４】
前記検出手段は、前記出口を横切るように光線を発射する光電装置発光部と、
前記通線用呼び線の先端に設けられ、前記光線を受光することにより、前記通線用呼び線が該出口から突出したことを検出する受光センサとを有する
ことを特徴とする請求項１に記載の通線用呼び線到達検出装置。
【請求項５】
前記検出手段は、前記通線用呼び線の先端に設けられ、前記出口の周囲の明るさを検出することにより、前記通線用呼び線が該出口から突出したことを検出する受光センサを有する
ことを特徴とする請求項１に記載の通線用呼び線到達検出装置。
【請求項６】
前記報知手段は、前記受光センサに電気的に接続され前記通線用呼び線に束ねられて前記出口側に延びる信号線と、
前記信号線に電気的に接続され前記押し込む人に前記通線用呼び線が該出口から突出したことを報知する報知器とを有する
ことを特徴とする請求項４または５に記載の通線用呼び線到達検出装置。
【発明の詳細な説明】
【０００１】
【発明の属する技術分野】
この発明は、通信ケーブルを既に敷設済みの空配管内に挿通配線するときに使用する通線用呼び線に関し、特に通線用呼び線が出口から突出したことを検出する通線用呼び線到達検出装置に関するものである。
【０００２】
【従来の技術】
通称、通線用呼び線と呼ばれている通線用の線材であって、主として電線や電話線・光ファイバー等の通信ケーブルを、既に敷設または配管済みの電線空配管や通信ケーブル空配管（以下ケーブル空配管という）内に挿通配線するときに使用する通線作業用の線材として、従来、３本の合成樹脂線材を撚り合わせて撚り線状とした呼び線や、延伸処理を施して所要径に形成した合成樹脂製単一線材を螺旋状に形付けしてなる構成とした呼び線がある（例えば、特許文献１参照）。
【０００３】
このような構成の従来の通線用呼び線を用いて、空配管に通信ケーブルを通線するための準備をする方法としては、空配管が設けられた壁の手前から通線用呼び線を押し込み、反対側の出口から押し出す方法が一般的である。
【０００４】
【特許文献１】
特開平１１−１８２３８号公報
【０００５】
【発明が解決しようとする課題】
しかしながら、このような通線用呼び線を用いて空配管に通線をする従来の方法においては、空配管の出口から通線用呼び線の先端が出たことを感知することができない。そのため、空配管出口付近に配置されていることが多い、例えば過電流遮断器の通電部に通線用呼び線の先端が接触し、対地間短路や通線用呼び線を介して感電するという懸念があった。そのため、従来の方法においては、空配管の出口において、通線用呼び線が出たことを確認する人を待機させ、入口から押し込む人と合わせて２人の作業者が必要であった。
【０００６】
この発明は、上述のような課題を解決するためになされたもので、空配管の入口から通線用呼び線を押し込む人が、出口から通線用呼び線が出たことを確認することができ、作業者一人で通線作業を行うことができる通線用呼び線到達検出装置を得ることを目的とする。
【０００７】
【課題を解決するための手段】
この発明に係る通線用呼び線到達検出装置は、空配管の出口の近傍に設けられ通線用呼び線が出口から突出したことを検出する検出手段と、検出手段の出力に基づいて、通線用呼び線が出口から突出したことを、空配管の入口において通線用呼び線を押し込む人に報知する報知手段とを有する。
【０００８】
【発明の実施の形態】
実施の形態１．
図１は通線用呼び線を敷設済みの空配管内に押し込んでゆく様子を示す壁及び空配管を断面とした側面図である。図１により通信ケーブルの挿通配線作業を説明する。建物の壁１の内部に曲がりくねった空配管２が形成されている。壁１の入口側壁１ａに空配管２の入口２ａが形成されている。また、壁１の出口側壁１ｂに空配管２の出口２ｂが形成されている。建物の壁１の内部に既に敷設または配管済みの空配管２の入口２ａから出口２ｂの内に、電線や電話線・光ファイバー等の通信ケーブルを直接挿通させようとすると、ケーブルの強度が足りなかったり、また通信ケーブルを傷付けてしまうことがあるので困難である。そのため、所定の強度と柔軟性を備えた通線用呼び線３を前もって入口２ａから空配管２に通し、通線用呼び線３の先端３ａが空配管２の出口２ｂから出た後に、先端３ａに設けられた穴に通信ケーブルを結び、通線用呼び線３を逆に引き抜くことにより、空配管２内に通信ケーブルを挿通させる。
【０００９】
図２はこの発明の実施の形態１の通線用呼び線到達検出装置を説明する壁及び空配管を断面とした側面図である。図３は図２の通線用呼び線到達検出装置の要部拡大図である。図において、本実施の形態の通線用呼び線到達検出装置（以下到達検出装置という）は、レーザービーム等の光線４を出口２ｂを横切るように発射する光電装置発光部５と、この光線４を受光する光電装置受光部６とを有している。光電装置発光部５は、基部５ｂを例えば吸盤等の載置手段によって、出口２ｂ近傍の壁１に固定され、発光部５ａから壁１の表面に平行に光線４を発射する。一方、光電装置受光部６は、光電装置発光部５と反対側の位置の壁１に、発光部６ａが光線４を受光するよう向きを調整されて、基部６ｂを例えば吸盤等の載置手段によって固定されている。光電装置受光部６は、通線用呼び線３が出口２ｂから突出して光線４を遮るとこれを検出する。光電装置発光部５と光電装置受光部６は、通線用呼び線３が出口２ｂから突出したことを検出する検出手段１０を構成している。
【００１０】
光電装置受光部６に、発信用通信機７が接続されている。発信用通信機７は、アンテナ７ａを有し、光電装置受光部６の出力する検出信号を特定の波長の電波に変換して発信する。そして、空配管２の入口２ａ側には、アンテナ８ａを持ち発信用通信機７の発信した電波を受信する受信用通信機８が配設されている。そして、受信用通信機８には、報知器として動作するスピーカ２０が電気的に接続されている。スピーカ２０は、受信用通信機８が受信した光電装置受光部６の検出信号を信号音又は予め登録された音声によって出力する。発信用通信機７、受信用通信機８及びスピーカ２０は、通線用呼び線３が出口２ｂから突出したことを、空配管２の入口２ａにおいて通線用呼び線３を押し込む人に報知する報知手段２０を構成している。
【００１１】
図４は従来の挿通配線作業において通線用呼び線３の先端３ａが過電流遮断器１９に接触してしまった様子を示す説明図である。従来の方法においては、空配管２の出口２ｂから通線用呼び線３の先端３ａが出たことを感知することができないので、空配管２の出口２ｂ付近に配置されていることが多い、例えば過電流遮断器１９の通電部に通線用呼び線３の先端が接触し、通線用呼び線を介して感電することがあった。
【００１２】
次に図１から図３に沿って本実施の形態の動作を説明する。通線用呼び線３の先端３ａが出口２ｂから突出して光線４を遮ると、光電装置受光部６はこれを検出して検出信号を出力する。この検出信号は、発信用通信機７から受信用通信機８へ電波によって送信され、スピーカ２０はこれを押し込む作業者に報知する。
【００１３】
このような構成の到達検出装置においては、通線用呼び線３を押し込む人が、通線用呼び線３が出口２ｂから出たことを確認することができ、作業者一人で通線作業を行うことができる。
【００１４】
尚、本実施の形態の光線４はレーザービームであるが、光線４はこれに限定されるものではない。また、本実施の形態の載置手段は吸盤であるが、これに限らず、磁石、両面テープ、クランプ、ボルトによる締着等のものであってもよい。
【００１５】
実施の形態２．
図５はこの発明の実施の形態２の到達検出装置を説明する要部拡大図である。本実施の形態の到達検出装置は、レーザービーム等の光線１４を出口２ｂを横切るように発光部１５ａから発射する光電装置発光部１５を有している。光電装置発光部１５は、基部１５ｂを図示しないクランパによって、空配管２の入口２ａにクランプされて固定されている。
【００１６】
一方、通線用呼び線３の先端部には、レーザービーム等の強い光を検出する受光センサ１１が周方向全体にわたって設けられている。光電装置発光部１５と受光センサ１１は、通線用呼び線３が出口２ｂから突出したことを検出する検出手段３０を構成している。
【００１７】
受光センサ１１から延びる信号線１２は、通線用呼び線３の被覆樹脂の内部に芯材とともに埋め込まれている（図５においては、解り易いように表面に出して記載している）。信号線１２の他端には、報知器として動作するスピーカ１３が電気的に接続されている。信号線１２とスピーカ１３は、通線用呼び線３が出口２ｂから突出したことを、空配管２の入口２ａにおいて通線用呼び線３を押し込む人に報知する報知手段４０を構成している。
【００１８】
次に動作を説明する。通線用呼び線３の先端３ａが出口２ｂから突出して、受光センサ１１が光線１４を検出する。この検出信号は信号線１２によってスピーカ１３に伝達され、スピーカ１３はこれを押し込む作業者に報知する。そのため、実施の形態１と同様に、通線用呼び線３を押し込む人が、通線用呼び線３が出口２ｂから出たことを確認することができ、作業者一人で通線作業を行うことができる。
【００１９】
実施の形態３．
図６はこの発明の実施の形態３の到達検出装置を説明する要部拡大図である。本実施の形態の到達検出装置は、通線用呼び線３の先端部に、例えば電灯１６等の弱い光を検出する受光センサ１７が周方向全体にわたって設けられている。受光センサ１７は、通線用呼び線３が出口２ｂから突出したことを検出する検出手段５０を構成している。その他の構成は実施の形態２と同様である。
【００２０】
次に動作を説明する。通線用呼び線３の先端３ａが出口２ｂから突出して、受光センサ１７が空配管２内から外にでると、受光センサ１７は、外の明るさを検出する。この検出信号は、信号線１２によって、スピーカ１３に伝達され、スピーカ１３はこれを押し込む作業者に報知する。
【００２１】
このような構成の到達検出装置においては、実施の形態１及び２と同様に、通線用呼び線３を押し込む人が、通線用呼び線３が出口２ｂから出たことを確認することができ、作業者一人で通線作業を行うことができるとともに、空配管２の出口２ｂに何も設置することがないので、実施の形態１及び２と同様な効果が得られるとともに、作業時間が短縮され、コストダウンを図ることができる。
【００２２】
【発明の効果】
この発明に係る通線用呼び線到達検出装置は、空配管の出口の近傍に設けられ通線用呼び線が出口から突出したことを検出する検出手段と、検出手段の出力に基づいて、通線用呼び線が出口から突出したことを、空配管の入口において通線用呼び線を押し込む人に報知する報知手段とを有するので、空配管の入口から通線用呼び線を押し込む人が、出口から通線用呼び線が出たことを確認することができ、作業者一人で通線作業を行うことができる。
【図面の簡単な説明】
【図１】通線用呼び線を敷設済みの空配管内に押し込んでゆく様子を示す壁及び空配管を断面とした側面図である。
【図２】この発明の実施の形態１の通線用呼び線到達検出装置を説明する壁及び空配管を断面とした側面図である。
【図３】図２の通線用呼び線到達検出装置の要部拡大図である。
【図４】従来の挿通配線作業において通線用呼び線の先端が過電流遮断器に接触してしまった様子を示す説明図である。
【図５】この発明の実施の形態２の通線用呼び線到達検出装置を説明する要部拡大図である。
【図６】この発明の実施の形態３の通線用呼び線到達検出装置を説明する要部拡大図である。
【符号の説明】
１  壁、１ａ  入口側壁、１ｂ  出口側壁、２  空配管、２ａ  入口、２ｂ  出口、３  通線用呼び線、３ａ  通線用呼び線の先端、４，１４  光線、５，１５  光電装置発光部、６  光電装置受光部、７  発信用通信機、７ａ  アンテナ、８  受信用通信機、８ａ  アンテナ、９，１３  スピーカ（報知手段）、１０，３０，５０  検出手段、１１，１７  受光センサ、１２  信号線、１６  照明、１９  過電流遮断器、２０，４０  報知手段。
【図１】
2004229370.tif 000003
【図２】
2004229370.tif 000004
【図３】
2004229370.tif 000005
【図４】
2004229370.tif 000006
【図５】
2004229370.tif 000007
【図６】
2004229370.tif 000008